(57)【要約】【課題】インキタンク挿着後、即座に筆記可能となるとともにペン先や空気孔から外部にインキが漏出するおそれがない直液式筆記具を提供する。【解決手段】軸筒３が、大径筒部４１と、該大径筒部４１の底壁から後方に突設される小径筒部４２とを備える。大径筒部４１内に、ペン先２を前端に備えた櫛歯状のインキ保溜部材６を収容する。小径筒部４２をインキタンク８の前端開口部内に挿着する。インキ保溜部材６の後端部に縮径筒部６２を一体に形成する。縮径筒部６２を小径筒部４２内に挿入する。縮径筒部６２の後端から後方に軸心孔６４を開口させる。インキ保溜部材６のインキ保溜部６１に軸方向に第１のスリット６１ａを設ける。縮径筒部６２の外面に軸方向に第２のスリット６２ａを設ける。第２のスリット６２ａが第１のスリット６１ａと連通し且つ後方に開口する。【選択図】  図１
2006224540.tif 000002
【特許請求の範囲】
【請求項１】
軸筒が、大径筒部と、該大径筒部の底壁から後方に突設される小径筒部とを備え、前記大径筒部内に、ペン先を前端に備えた櫛歯状のインキ保溜部材を収容し、前記小径筒部をインキタンクの前端開口部内に挿着し、前記インキ保溜部材が、複数の櫛歯よりなるインキ保溜部と、該インキ保溜部に設けられる軸方向に延びるスリットと、軸心部に軸方向に設けられる軸心孔とを備え、前記軸心孔に、インキタンクからペン先にインキを供給するインキ誘導芯を挿着した直液式筆記具であって、前記インキ保溜部材の後端部に縮径筒部を一体に形成し、前記縮径筒部を前記小径筒部内に挿入し、前記縮径筒部の後端から後方に前記軸心孔を開口させ、前記インキ保溜部に軸方向に延びる第１のスリットを設け、前記縮径筒部の外面に、前記第１のスリットと連通し且つ後方に開口する軸方向に延びる第２のスリットを設けたことを特徴とする直液式筆記具。
【請求項２】
軸筒が、大径筒部と、該大径筒部の底壁から後方に突設される小径筒部と、前記大径筒部から後方に連設され且つ前記小径筒部の外周を包囲する接続筒部とを備えた前軸と、前記前軸の接続筒部に着脱自在に螺着される後軸とからなり、前記大径筒部内に、ペン先を前端に備えた櫛歯状のインキ保溜部材を収容し、前記小径筒部をインキタンクの前端開口部内に挿着し、前記インキ保溜部材が、複数の櫛歯よりなるインキ保溜部と、該インキ保溜部に設けられる軸方向に延びるスリットと、軸心部に軸方向に設けられる軸心孔とを備え、前記軸心孔に、インキタンクからペン先にインキを供給するインキ誘導芯を挿着した直液式筆記具であって、前記インキ保溜部材の後端部に縮径筒部を一体に形成し、前記縮径筒部を前記小径筒部内に挿入し、前記縮径筒部の後端から後方に前記軸心孔を開口させ、前記インキ保溜部に軸方向に延びる第１のスリットを設け、前記縮径筒部の外面に、前記第１のスリットと連通し且つ後方に開口する軸方向に延びる第２のスリットを設けたことを特徴とする直液式筆記具。
【請求項３】
大径筒部と、該大径筒部の後方に接続され且つ該大径筒部の内径より小さい内径を有する小径筒部と、該小径筒部の後方に接続され且つ該小径筒部の内径より大きい内径を有するインキタンクとを備え、前記大径筒部内に、ペン先を前端に備えた櫛歯状のインキ保溜部材を収容し、前記インキ保溜部材が、複数の櫛歯よりなるインキ保溜部と、該インキ保溜部に設けられる軸方向に延びるスリットと、軸心部に軸方向に設けられる軸心孔とを備え、前記軸心孔に、インキタンクからペン先にインキを供給するインキ誘導芯を挿着した直液式筆記具であって、前記インキ保溜部材の後端部に縮径筒部を一体に形成し、前記縮径筒部を前記小径筒部内に挿入し、前記縮径筒部の後端から後方に前記軸心孔を開口させ、前記インキ保溜部に軸方向に延びる第１のスリットを設け、前記縮径筒部の外面に、前記第１のスリットと連通し且つ後方に開口する軸方向に延びる第２のスリットを設けたことを特徴とする直液式筆記具。
【請求項４】
前記インキ誘導芯の後端及び前記第２のスリットの後端が、前記インキタンクの前端よりも後方に位置してなる請求項１または２記載の直液式筆記具。
【請求項５】
前記インキ誘導芯の後端及び前記第２のスリットの後端が、前記小径筒部の後端よりも前方に位置してなる請求項１、２または４記載の直液式筆記具。
【請求項６】
前記インキ誘導芯の後端と第２のスリットの後端との軸方向の位置が略一致してなる請求項１乃至５のいずれかに記載の直液式筆記具。
【請求項７】
前記第２のスリットと前記軸心孔とが径方向に連通されていない請求項１乃至６のいずれかに記載の直液式筆記具。
【発明の詳細な説明】
【技術分野】
【０００１】
本発明は、直液式筆記具に関する。詳細には、インキタンク内部にインキが直に貯溜された直液式筆記具に関する。
【背景技術】
【０００２】
従来この種の直液式筆記具において、特許文献１には、「先軸筒と、前記先軸筒内に収納され、中心軸線上に伸びるインキ誘導芯とインキ誘導芯より径方向外側にインキ誘導芯と分離して形成された気液交換溝とを有するペン芯と、インキ誘導芯の先端側にインキ誘導芯と一体に、または別体でインキ誘導芯と接触するように設けられたペン体と、先軸筒に圧入固定、または着脱可能に連結される後軸筒と、先軸筒の後部に設けられた縮径部に連結され、低粘性インキを収納するインキ収納筒と、を備え、前記縮径部内を貫通して、前記ペン芯のインキ誘導芯及び気液交換溝の各後端とインキ収納筒内とを連通させる連結孔の直径を３ｍｍ以上とすることを特徴とするインキ収納筒を用いた筆記具。」が開示されている。
【０００３】
前記特許文献１の直液式筆記具は、インキ収容筒（本願のインキタンクに相当）を縮径部（本願の小径筒部に相当）に挿着した際、インキ収容筒内のインキは、連結孔を介してインキ誘導芯及び気液交換溝に供給される。しかし、前記特許文献１の直液式筆記具は、連結孔が３ｍｍよりも僅かに大きく設定した程度では、インキ収容筒の挿着後、ペン先を下向きにしても、インキが連結孔内で停留し、インキ誘導芯及び気液交換溝にインキが迅速に供給されないおそれがある。特に、特許文献１のように、インキ収容筒とペン芯（本願のインキ保溜部材に相当）とを連通させる連結孔の内径が、インキ収容筒の内径よりも小さく設定された構造の場合、インキ収容筒からのインキが連結孔内で停留しやすい。
【０００４】
前記特許文献１の直液式筆記具において、インキ収納筒の挿着後、インキ誘導芯に、インキが迅速に供給されない場合、即座に筆記可能とすることができない。
【０００５】
また、前記特許文献１の直液式筆記具において、インキ収容筒の挿着後、気液交換溝に、迅速にインキが供給されない場合、外気が気液交替溝を介してインキ収容筒内に過剰に取り込まれ、それにより、インキ収容筒内のインキがインキ誘導芯を介してペン先に過剰に供給され、その結果、ペン先よりインキが外部に漏出するおそれがある。
【０００６】
【特許文献１】特開平９−１１６８１号公報
【発明の開示】
【発明が解決しようとする課題】
【０００７】
本発明は前記従来の問題点を解決するものであって、インキタンクとインキ保溜部材との間を接続した後、即座に筆記可能となるとともにペン先や空気孔から外部にインキが漏出するおそれがない直液式筆記具を提供しようとするものである。尚、本発明において、「前」とはペン先側を指し、「後」とはインキタンク側を指す。
【課題を解決するための手段】
【０００８】
本発明は、以下の要件を特徴とする。
【０００９】
（請求項１）
軸筒が、大径筒部と、該大径筒部の底壁から後方に突設される小径筒部とを備え、前記大径筒部内に、ペン先を前端に備えた櫛歯状のインキ保溜部材を収容し、前記小径筒部をインキタンクの前端開口部内に挿着し、前記インキ保溜部材が、複数の櫛歯よりなるインキ保溜部と、該インキ保溜部に設けられる軸方向に延びるスリットと、軸心部に軸方向に設けられる軸心孔とを備え、前記軸心孔に、インキタンクからペン先にインキを供給するインキ誘導芯を挿着した直液式筆記具であって、前記インキ保溜部材の後端部に縮径筒部を一体に形成し、前記縮径筒部を前記小径筒部内に挿入し、前記縮径筒部の後端から後方に前記軸心孔を開口させ、前記インキ保溜部に軸方向に延びる第１のスリットを設け、前記縮径筒部の外面に、前記第１のスリットと連通し且つ後方に開口する軸方向に延びる第２のスリットを設けたことを特徴とする直液式筆記具。
【００１０】
（請求項２）
軸筒が、大径筒部と、該大径筒部の底壁から後方に突設される小径筒部と、前記大径筒部から後方に連設され且つ前記小径筒部の外周を包囲する接続筒部とを備えた前軸と、前記前軸の接続筒部に着脱自在に螺着される後軸とからなり、前記大径筒部内に、ペン先を前端に備えた櫛歯状のインキ保溜部材を収容し、前記小径筒部をインキタンクの前端開口部内に挿着し、前記インキ保溜部材が、複数の櫛歯よりなるインキ保溜部と、該インキ保溜部に設けられる軸方向に延びるスリットと、軸心部に軸方向に設けられる軸心孔とを備え、前記軸心孔に、インキタンクからペン先にインキを供給するインキ誘導芯を挿着した直液式筆記具であって、前記インキ保溜部材の後端部に縮径筒部を一体に形成し、前記縮径筒部を前記小径筒部内に挿入し、前記縮径筒部の後端から後方に前記軸心孔を開口させ、前記インキ保溜部に軸方向に延びる第１のスリットを設け、前記縮径筒部の外面に、前記第１のスリットと連通し且つ後方に開口する軸方向に延びる第２のスリットを設けたことを特徴とする直液式筆記具。
【００１１】
（請求項３）
大径筒部と、該大径筒部の後方に接続され且つ該大径筒部の内径より小さい内径を有する小径筒部と、該小径筒部の後方に接続され且つ該小径筒部の内径より大きい内径を有するインキタンクとを備え、前記大径筒部内に、ペン先を前端に備えた櫛歯状のインキ保溜部材を収容し、前記インキ保溜部材が、複数の櫛歯よりなるインキ保溜部と、該インキ保溜部に設けられる軸方向に延びるスリットと、軸心部に軸方向に設けられる軸心孔とを備え、前記軸心孔に、インキタンクからペン先にインキを供給するインキ誘導芯を挿着した直液式筆記具であって、前記インキ保溜部材の後端部に縮径筒部を一体に形成し、前記縮径筒部を前記小径筒部内に挿入し、前記縮径筒部の後端から後方に前記軸心孔を開口させ、前記インキ保溜部に軸方向に延びる第１のスリットを設け、前記縮径筒部の外面に、前記第１のスリットと連通し且つ後方に開口する軸方向に延びる第２のスリットを設けたことを特徴とする直液式筆記具。
【００１２】
（請求項４）
前記インキ誘導芯の後端及び前記第２のスリットの後端が、前記インキタンクの前端よりも後方に位置してなる請求項１または２記載の直液式筆記具。
【００１３】
（請求項５）
前記インキ誘導芯の後端及び前記第２のスリットの後端が、前記小径筒部の後端よりも前方に位置してなる請求項１、２または４記載の直液式筆記具。
【００１４】
（請求項６）
前記インキ誘導芯の後端と第２のスリットの後端との軸方向の位置が略一致してなる請求項１乃至５のいずれかに記載の直液式筆記具。
【００１５】
（請求項７）
前記第２のスリットと前記軸心孔とが径方向に連通されていない請求項１乃至６のいずれかに記載の直液式筆記具。
【発明の効果】
【００１６】
請求項１の直液式筆記具によれば、インキタンク挿着後、即座に筆記可能となるとともにペン先や空気孔から外部にインキが漏出するおそれがない。
【００１７】
請求項２の直液式筆記具によれば、インキタンク挿着後、即座に筆記可能となるとともにペン先や空気孔から外部にインキが漏出するおそれがない。
【００１８】
請求項３の直液式筆記具によれば、インキタンクとインキ保溜部材とが接続状態で、ペン先下向きにすると、即座に筆記可能となるとともにペン先や空気孔から外部にインキが漏出するおそれがない。
【００１９】
請求項４の直液式筆記具によれば、インキタンク挿着後、インキタンク内部にインキが停留することなく、より一層、迅速に、インキ誘導芯及び第２のスリットにインキを供給できる。
【００２０】
請求項５の直液式筆記具によれば、インキタンク挿着時、インキ保溜部材が軸筒前方に押し出されるおそれがなく、また、インキタンク挿着時、インキ誘導芯後端の損傷や縮径筒部後端の損傷を回避することができる。
【００２１】
請求項６の直液式筆記具によれば、インキタンクとインキ保溜部材とが接続状態で、ペン先下向きにすると、インキ誘導芯の後端と第２のスリットとに略同時にインキタンク内のインキ供給を開始できる。
【００２２】
請求項７の直液式筆記具によれば、第２のスリットの溝幅をばらつきのない安定した寸法に設定できる。
【発明を実施するための最良の形態】
【００２３】
本発明を実施するための最良の形態を説明する。
【００２４】
〔１〕本発明の第１の実施の形態の直液式筆記具１は、軸筒３が、大径筒部４１と、該大径筒部４１の底壁から後方に突設される小径筒部４２とを備え、前記大径筒部４１内に、ペン先２を前端に備えた櫛歯状のインキ保溜部材６を収容し、前記小径筒部４２をインキタンク８の前端開口部内に挿着し、前記インキ保溜部材６が、複数の櫛歯よりなるインキ保溜部６１と、該インキ保溜部６１に設けられる軸方向に延びるスリットと、軸心部に軸方向に設けられる軸心孔６４とを備え、前記軸心孔６４に、インキタンク８からペン先２にインキを供給するインキ誘導芯７を挿着した直液式筆記具であって、前記インキ保溜部材６の後端部に縮径筒部６２を一体に形成し、前記縮径筒部６２を前記小径筒部４２内に挿入し、前記縮径筒部６２の後端から後方に前記軸心孔６４を開口させ、前記インキ保溜部６１に軸方向に延びる第１のスリット６１ａを設け、前記縮径筒部６２の外面に、前記第１のスリット６１ａと連通し且つ後方に開口する軸方向に延びる第２のスリット６２ａを設けたこと（請求項１）を要件とする（図１乃至図４参照）。
【００２５】
前記直液式筆記具１（請求項１）は、小径筒部４２をインキタンク８の前端開口部内に挿着し、ペン先下向き状態にすると、インキタンク８内のインキが、インキタンク８内壁に停留することなく、迅速にインキ誘導芯７後端とインキ保溜部材６の第２のスリット６２ａとにインキが供給される。インキタンク８の挿着後、迅速に、インキ誘導芯７の後端にインキタンク８内のインキが供給されることにより、前記インキ誘導芯７を介してインキタンク８内のインキがペン先２へ迅速に供給され、即座に筆記可能状態となる。また、インキタンク８の挿着後、迅速に、第１のスリット６１ａ後端及び第２のスリット６２ａにインキタンク８内のインキが一時的に保持され、その保持されたインキによる液シールによって、インキ保溜部材６のインキ保溜部６１とインキタンク８との間の空気流通が一時的に遮断される。その結果、インキタンク８の挿着後、ペン先２から外部にインキが漏出するおそれがない。
【００２６】
仮に、インキタンク８の挿着後、インキ誘導芯７のみにインキが供給され、インキ保溜部６１を介して外気がインキタンク８内に取り込み続けられた場合、インキ誘導芯７に過剰にインキが供給され、ペン先２からインキが漏出するおそれがある。また、仮に、インキタンク８の挿着後、インキ保溜部６１のみにインキが供給され、インキ誘導芯７からインキタンク８内に外気が取り込まれた場合、インキタンク８の挿着後、迅速に、インキタンク８内のインキをペン先２に供給できず、筆記可能とすることができないばかりか、インキ保溜部６１にインキが過剰に供給され、インキ保溜部６１から空気孔６５を介して外部にインキが漏出するおそれがある。
【００２７】
〔２〕本発明の第２の実施の形態の直液式筆記具１は、軸筒３が、大径筒部４１と、該大径筒部４１の底壁から後方に突設される小径筒部４２と、前記大径筒部４１から後方に連設され且つ前記小径筒部４２の外周を包囲する接続筒部４３とを備えた前軸４と、前記前軸４の接続筒部４３に着脱自在に螺着される後軸５とからなり、前記大径筒部４１内に、ペン先２を前端に備えた櫛歯状のインキ保溜部材６を収容し、前記小径筒部４２をインキタンク８の前端開口部内に挿着し、前記インキ保溜部材６が、複数の櫛歯よりなるインキ保溜部６１と、該インキ保溜部６１に設けられる軸方向に延びるスリットと、軸心部に軸方向に設けられる軸心孔６４とを備え、前記軸心孔６４に、インキタンク８からペン先２にインキを供給するインキ誘導芯７を挿着した直液式筆記具であって、前記インキ保溜部材６の後端部に縮径筒部６２を一体に形成し、前記縮径筒部６２を前記小径筒部４２内に挿入し、前記縮径筒部６２の後端から後方に前記軸心孔６４を開口させ、前記インキ保溜部６１に軸方向に延びる第１のスリット６１ａを設け、前記縮径筒部６２の外面に、前記第１のスリット６１ａと連通し且つ後方に開口する軸方向に延びる第２のスリット６２ａを設けたこと（請求項２）を要件とする（図１乃至図４参照）。
【００２８】
前記直液式筆記具１（請求項２）は、小径筒部４２をインキタンク８の前端開口部内に挿着し、ペン先下向き状態にすると、インキタンク８内のインキが、インキタンク８内壁に停留することなく、迅速にインキ誘導芯７後端とインキ保溜部材６の第２のスリット６２ａとにインキが供給される。インキタンク８の挿着後、迅速に、インキ誘導芯７の後端にインキタンク８内のインキが供給されることにより、前記インキ誘導芯７を介してインキタンク８内のインキがペン先２へ供給され、即座に筆記可能状態となる。また、インキタンク８の挿着後、迅速に、第１のスリット６１ａ後端及び第２のスリット６２ａにインキタンク８内のインキが一時的に保持され、その保持されたインキによる液シールによって、インキ保溜部材６のインキ保溜部６１とインキタンク８との間の空気流通が一時的に遮断される。その結果、インキタンク８の挿着後、ペン先２から外部にインキが漏出するおそれがない。
【００２９】
仮に、インキタンク８の挿着後、インキ誘導芯７のみにインキが供給され、インキ保溜部６１を介して外気がインキタンク８内に取り込み続けられた場合、インキ誘導芯７に過剰にインキが供給され、ペン先２からインキが漏出するおそれがある。また、仮に、インキタンク８の挿着後、インキ保溜部６１のみにインキが供給され、インキ誘導芯７からインキタンク８内に外気が取り込まれた場合、インキタンク８の挿着後、迅速に、インキタンク８内のインキをペン先２に供給できず、筆記可能とすることができないばかりか、インキ保溜部６１にインキが過剰に供給され、インキ保溜部６１から空気孔６５を介して外部にインキが漏出するおそれがある。
【００３０】
〔３〕本発明の第３の実施の形態の直液式筆記具１は、大径筒部４１と、該大径筒部４１の後方に接続され且つ該大径筒部４１の内径より小さい内径を有する小径筒部４２と、該小径筒部４２の後方に接続され且つ該小径筒部４２の内径より大きい内径を有するインキタンク８とを備え、前記大径筒部４１内に、ペン先２を前端に備えた櫛歯状のインキ保溜部材６を収容し、前記インキ保溜部材６が、複数の櫛歯よりなるインキ保溜部６１と、該インキ保溜部６１に設けられる軸方向に延びるスリットと、軸心部に軸方向に設けられる軸心孔６４とを備え、前記軸心孔６４に、インキタンク８からペン先２にインキを供給するインキ誘導芯７を挿着した直液式筆記具であって、前記インキ保溜部材６の後端部に縮径筒部６２を一体に形成し、前記縮径筒部６２を前記小径筒部４２内に挿入し、前記縮径筒部６２の後端から後方に前記軸心孔６４を開口させ、前記インキ保溜部６１に軸方向に延びる第１のスリット６１ａを設け、前記縮径筒部の外面に、前記第１のスリット６１ａと連通し且つ後方に開口する軸方向に延びる第２のスリット６２ａを設けたこと（請求項３）を要件とする（図１乃至図４参照）。
【００３１】
前記直液式筆記具１（請求項３）は、インキタンク８内とインキ保溜部材６とが接続状態で、ペン先下向き状態にすると、インキタンク８内のインキが、インキタンク８内壁に停留することなく、迅速にインキ誘導芯７後端と第２のスリット６２ａとにインキが供給される。前記インキ誘導芯７の後端に、迅速にインキタンク８内のインキが供給されることにより、前記インキ誘導芯７を介してインキタンク８内のインキがペン先２へ迅速に供給され、即座に筆記可能状態となる。また、前記第２のスリット６２ａに、迅速にインキタンク８内のインキが前記第２のスリット６２ａに供給されることにより、インキタンク８内のインキが一時的に第１のスリット６１ａ後端及び第２のスリット６２ａに保持され、その保持されたインキによる液シールによって、インキ保溜部材６のインキ保溜部６１とインキタンク８との間の空気流通が一時的に遮断され、その結果、ペン先２から外部にインキが漏出するおそれがない。
【００３２】
仮に、インキタンク８内とインキ保溜部材６とが接続状態で、ペン先下向きにした際に、インキ誘導芯７のみにインキが供給され、インキ保溜部６１を介して外気がインキタンク８内に取り込み続けられた場合、インキ誘導芯７に過剰にインキが供給され、ペン先２からインキが漏出するおそれがある。また、仮に、インキタンク８内とインキ保溜部材６とが接続状態で、ペン先下向きにした際に、インキ保溜部６１のみにインキが供給され、インキ誘導芯７からインキタンク８内に外気が取り込まれた場合、迅速に、インキタンク８内のインキをペン先２に供給できず、筆記可能とすることができないばかりか、インキ保溜部６１にインキが過剰に供給され、インキ保溜部６１から空気孔６５を介して外部にインキが漏出するおそれがある。
【００３３】
尚、前記直液式筆記具（請求項３）において、大径筒部４１は、少なくとも、内径が小径筒部４２の内径よりも大きく設定され、小径筒部４２は、少なくとも、内径が大径筒部４１の内径及びインキタンク８の内径よりも小さく設定される。即ち、前記直液式筆記具（請求項３）において、大径筒部４１の外径、小径筒部４２の外径、及びインキタンク８の外径の大小関係は特に限定されない。また、前記直液式筆記具（請求項３）において、大径筒部４１、小径筒部４２、及びインキタンク８は、例えば、一部材により一体に形成された構成、大径筒部４１と小径筒部４２とが一体に形成された部材とそれと別部材のインキタンク８とが結合された構成、小径筒部４２とインキタンク８とが一体に形成された部材とそれと別部材からなる大径筒部４１とが結合された構成、または３つの別部材からなる大径筒部４１と小径筒部４２とインキタンク８とが結合された構成等を挙げることができる。
【００３４】
〔４〕前記直液式筆記具１（請求項１または２）において、前記インキ誘導芯７の後端及び前記第２のスリット６２ａの後端が、前記インキタンク８の前端よりも後方に位置してなること(請求項３)が好ましい（図１乃至図４参照）。即ち、インキタンク８の挿着後、前記インキ誘導芯７の後端及び前記第２のスリット６２ａの後端が、前記インキタンク８の前端よりも後方に位置してなることにより、インキタンク８の挿着後、インキタンク８内部にインキが停留することなく、より一層、迅速に、インキ誘導芯７及び第２のスリット６２ａにインキを供給できる。
【００３５】
〔５〕前記直液式筆記具１（請求項１、２または４）において、前記インキ誘導芯７の後端及び前記第２のスリット６２ａの後端が、前記小径筒部４２の後端よりも前方に位置してなること（請求項４）が好ましい（図１乃至図４参照）。それにより、インキタンク８を挿着する際、インキタンク８と縮径筒部６２及びインキ誘導芯７後端とが当接するおそれがない。そのため、インキタンク８の挿着時、インキ保溜部材６が軸筒３前方に押し出されるおそれがなく、また、インキタンク８の挿着時、インキ誘導芯７後端の損傷や縮径筒部６２後端の損傷を回避することができる。
【００３６】
〔６〕前記直液式筆記具１（請求項１、２、３、４または５）において、前記インキ誘導芯７の後端と第２のスリット６２ａの後端との軸方向の位置が略一致してなること（請求項５）が好ましい（図１乃至図４参照）。それにより、インキタンク８とインキ保溜部材６とを接続状態で、ペン先下向きにすると、インキ誘導芯７の後端と第２のスリット６２ａとに略同時にインキタンク８内のインキ供給を開始できる。具体的には、インキ誘導芯７の後端と第２のスリット６２ａの後端との軸方向の位置の差が２ｍｍ以内（好ましくは１ｍｍ以内）であることが好ましい。
【００３７】
〔７〕前記直液式筆記具１（請求項１、２、３、４、５または６）において、前記第２のスリット６２ａと前記軸心孔６４とが径方向に連通されていないこと（請求項６)が好ましい（図１乃至図４参照）。それにより、第２のスリット６２ａの溝幅をばらつきのない安定した寸法に設定できる。もし、第２のスリット６２ａと軸心孔６４とが径方向に連通していると、第２のスリット６２ａの溝幅が変化しやすく、安定した溝幅寸法が得られず、適正な液シール状態が得られないおそれがある。
【実施例】
【００３８】
本発明の実施例の直液式筆記具１を図１乃至図４に示す。
本実施例の直液式筆記具１は、主に、前軸４と後軸５とからなる軸筒３と、前記前軸４内に収容され、前端にペン先２を備えたインキ保溜部材６と、前記後軸５内に収容されるインキタンク８とからなる。
【００３９】
前記前軸４は、円筒状の大径筒部４１と、該大径筒部４１の底壁から後方に一体に連設される円筒状の小径筒部４２と、前記大径筒部４１の底壁より後方に一体に連設され且つ前記小径筒部４２の外周を同心状に包囲するよう配置された円筒状の接続筒部４３と、前記小径筒部４２の後端部に一体に形成されたインキタンク開栓用の突片４２ａとからなる。前記前軸４は、合成樹脂（例えば、ポリプロピレン）の射出成形により得られる。また、前記接続筒部４３の外面には、雄ネジ部が形成される。尚、前記小径筒部４２の外径は前記大径筒部４１の外径より小さく設定され、前記小径筒部４２の内径は前記大径筒部４１の内径及びインキタンク８の内径より小さく設定される。
【００４０】
前記後軸５は、前端が開口され且つ後端が閉鎖された有底筒体であり、合成樹脂(例えば、ポリカーボネイト)の射出成形により得られる。前記後軸５の前端開口部の内面には、雌ネジ部が形成される。前記雌ネジ部は、前記前軸４の接続筒部４３の外面の雄ネジ部と螺合可能であり、それにより、前記後軸５の前端部は前軸４の後端部と着脱自在に螺着される。
【００４１】
前記インキ保溜部材６は、インキタンク８内の圧力上昇に応じた余剰インキを一時的に保持する部材である。前記インキ保溜部材６は、複数の櫛歯よりなるインキ保溜部６１(櫛溝部)と、該インキ保溜部６１の後端（即ち後端櫛歯６６後端面）より後方に突出され且つ該インキ保溜部６１の外径より小さい外径を有する縮径筒部６２と、前記インキ保溜部６１の前端より前方に突出されたペン先取付部６３とが、一体に形成された合成樹脂（例えば、ＡＢＳ樹脂）の射出成形体よりなる。また、前記インキ保溜部材６の軸心には、軸方向に延び且つ後端が後方に開口された軸心孔６４が設けられる。前記軸心孔６４にはインキ誘導芯７が挿着される。前記ペン先取付部６３には、ペン先２が取り付けられる。
【００４２】
前記インキ保溜部材６は前軸４内に挿着される。即ち、前記インキ保溜部材６のインキ保溜部６１は、前軸４の大径筒部４１内に挿入配置され、前記インキ保溜部材６の縮径筒部６２は、前軸４の小径筒部４２内に挿入配置される。このとき、ペン先２及びペン先取付部６３が前軸４の前端より前方に突出される。また、前記前軸４の前端（即ちインキ保溜部６１の前端）には空気孔６５が開口される。前記空気孔６５によりインキ保溜部６１と外気とが連通される。
【００４３】
前記インキ保溜部６１には、軸方向に延び且つ径方向外方に開口する第１のスリット６１ａが形成される。前記第１のスリット６１ａにより、インキ保溜部６１の櫛歯間が連通される。前記縮径筒部６２の外面には、軸方向に延び且つ径方向外方に開口する第２のスリット６２ａが形成される。前記第２のスリット６２ａは、前端が第１のスリット６１ａと接続され、後端が軸方向後方（即ちインキタンク８内）に開口される。前記第１のスリット６１ａ及び第２のスリット６２ａと軸心孔６４とは径方向に非連通に構成される。また、前記第１のスリット６１ａと前記第２のスリット６２ａとが、同一軸線上に形成されている。それにより、第１のスリット６１ａ及び第２のスリット６２ａの成形が容易となるとともに、第１のスリット６１ａと第２のスリット６２ａとの円滑な接続が可能となる。これ以外にも、前記第１のスリット６１ａと前記第２のスリット６２ａとが、同一軸線上に形成されていなくてもよい。
【００４４】
また、前記第１のスリット６１ａの溝幅と前記第２のスリット６２ａの溝幅とが略等しく設定される。また、前記第２のスリット６２ａの径方向の深さは、前記第１のスリット６１ａの後端（即ちインキ保溜部６１の後端櫛歯６６に形成された第１のスリット６１ａ）の径方向の深さに比べて浅く設定される。また、前記インキ保溜部６１の後端の後端櫛歯６６は、大径筒部４１の内壁に圧入され、この圧入によって後端櫛歯６６が縮径変形される。それにより、第１のスリット６１ａ後端の径方向外方端部の溝幅が、他の櫛歯に形成された第１のスリット６１ａ（即ち大径筒部４１の内壁と非接触であり且つ後端櫛歯６６前方に位置する櫛歯に形成された第１のスリット６１ａ）の径方向外方端部の溝幅よりも僅かに小さく設定される。それにより、後端櫛歯６６に形成された第１のスリット６１ａ後端の毛細管力が、他の櫛歯に形成された第１のスリット６１ａよりも強く設定される。
【００４５】
また、本実施例では、第２のスリット６２ａの毛細管力と第１のスリット６１ａ後端の毛細管力とは略同等に設定されるか、または、第２のスリット６２ａの毛細管力が第１のスリット６１ａ後端の毛細管力よりも僅かに強く設定される。
【００４６】
前記軸心孔６４には、インキ誘導芯７が挿着される。前記インキ誘導芯７は、毛細管力を有する軸方向のインキ導出路を備えるものであればいずれであってもよく、本実施例では、繊維の樹脂加工により得られる棒状体が採用されているが、これ以外にも、例えば、多孔質体、合成樹脂の押出成形体が挙げられる。前記インキ誘導芯７の前端は、ペン先２に接続され、前記インキ誘導芯７の後端は、縮径筒部６２の後端面と略一致している。即ち、前記インキ誘導芯７の後端と第２のスリット６２ａの後端とは、軸方向の位置が略一致している。具体的には、前記インキ誘導芯７の後端は、縮径筒部６２の後端面より僅かに後方に突出（実際には０．４ｍｍ突出）されている。それにより、軸心孔６４の後端に気泡（空気）を残留させるおそれがなく、インキがインキタンク８からインキ誘導芯７の後端に確実に誘導される。
【００４７】
前記ペン先２は、ペン先取付部６３に取り付けられる。本実施例では、前記ペン先２は、前端に切り割り２１を有する金属板製ペン体（いわゆる万年筆ペン体）が採用されている。前記ペン先２前端の切り割り２１には、インキ誘導芯７の前端が圧接状態で接続されている。尚、本発明において、ペン先２は、前記金属板製ペン体の他、例えば、ボールペンチップ、繊維ペン体、多孔質ペン体、合成樹脂の押出成形体よりなるプラスチックペン体、パイプ状ペン体、毛筆ペン体等が挙げられる。また、前記ペン先２は、インキ誘導芯７を兼ねるものでもよい。
【００４８】
前記インキタンク８は、前端が開口され且つ後端が閉鎖された有底筒体よりなり、合成樹脂（例えばポリプロピレン）の射出成形により得られる。前記インキタンク８内にはインキが直に貯溜される。前記インキタンク８の前端開口部には栓体８１が固着され、それにより、インキタンク８内は密封状態となる。前記密封状態のインキタンク８の前端に前記小径筒部４２を挿入すると、小径筒部４２の後端に形成された突片４２ａにより栓体８１が後方に押圧され、栓体８１がインキタンク８内に外され、インキタンク８が開栓される。このとき、小径筒部４２の外面とインキタンク８の開口部内面とは密嵌状態にある。
【００４９】
また、前記インキ保溜部材６を前軸４内に挿着した後、前記インキ誘導芯７の後端及び前記第２のスリット６２ａの後端は、小径筒部４２の後端（即ち突片４２ａの後端）より前方に配置されている。それにより、インキタンク８を小径筒部４２に挿着し、インキタンク８を開栓する際、インキタンク８と縮径筒部６２とが当接するおそれがない。そのため、前記インキタンク８の挿着時、インキタンク８によってインキ保溜部材６が前方に押圧されて外れるおそれがなく、さらに、インキ誘導芯７の後端及び第２のスリット６２ａの後端が、インキタンク８の前端に当接して損傷するおそれがない。
【００５０】
インキタンク８を小径筒部４２に挿着した後、前記インキ誘導芯７の後端及び前記第２のスリット６２ａの後端は、インキタンク８の前端よりも後方に位置される。即ち、インキタンク８を小径筒部４２に挿着した後、前記インキ誘導芯７の後端及び前記第２のスリット６２ａの後端は、インキタンク８内部に位置される。それにより、インキタンク８から前記インキ誘導芯７の後端及び前記第２のスリット６２ａの後端への迅速なインキ供給が可能となる。
【００５１】
（本実施例の作用）
ペン先２を下向き状態にして、小径筒部４２を密封状態のインキタンク８の前端部内に圧入すると、小径筒部４２の後端の突片４２ａにより栓体８１が後方に押圧され、インキタンク８の前端が開放される。このとき、インキタンク８内のインキが、インキタンク８内壁に停留することなく、迅速に、インキ誘導芯７と第２のスリット６２ａとに同時に供給される。それにより、インキタンク８の挿着後、迅速にインキ誘導芯７を介してペン先２にインキが誘導され、筆記可能となり、しかも、第１のスリット６１ａ後端及び第２のスリット６２ａに保持されたインキによる液シールによって、インキ保溜部６１とインキタンク８との間の空気流通が遮断され、ペン先２からインキが漏出することを防止できる。
【図面の簡単な説明】
【００５２】
【図１】本発明の実施例の縦断面図である。
【図２】図１の要部拡大断面図である。
【図３】図１のＡ−Ａ線拡大断面図である。
【図４】図１のＢ−Ｂ線拡大断面図である。
【符号の説明】
【００５３】
１  直液式筆記具
２  ペン先
２１  切り割り
３  軸筒
４  前軸
４１  大径筒部
４２  小径筒部
４２ａ  突片
４３  接続筒部
５  後軸
６  インキ保溜部材
６１  インキ保溜部
６１ａ  第１のスリット
６２  縮径筒部
６２ａ  第２のスリット
６３  ペン先取付部
６４  軸心孔
６５  空気孔
６６  後端櫛歯
７  インキ誘導芯
８  インキタンク
【図１】
2006224540.tif 000003
【図２】
2006224540.tif 000004
【図３】
2006224540.tif 000005
【図４】
2006224540.tif 000006